(57)【要約】      （修正有）【課題】真空ポンプの吸着力により指輪を立たせて撮影を行うターンテーブル及びライトボックスを提供する。【解決手段】本発明の指輪２０撮影用ターンテーブル１００は、真空ポンプ１１０と、中空軸１２２を備えるモーター１２０と、真空ポンプ及び中空軸に接続するエアホース１３０と、中空軸と気密連通する吸気孔を有する盤面１４０を含む。真空ポンプが作動すると吸気孔が提供する真空吸着力により指輪を盤面の載置面１４４上に立たせる。モーターが作動すると盤面が指輪を回転させる。また本発明は上述のターンテーブル及び箱体を含む指輪撮影用ライトボックスをさらに提案する。箱体はベース部を含み、ベース部は上面及び上面上に形成された開孔を有し、真空ポンプが上面下方又は箱体外部に設置され、モーターが上面下方に設置され、かつ盤面が開孔中に嵌め込まれる。【選択図】図１
2020177043.tif 000002
【特許請求の範囲】
【請求項１】
指輪撮影への使用に適したターンテーブルであって、
真空ポンプと、
中空軸を備えるモーターと、
前記真空ポンプ及び前記中空軸に接続するエアホースと、
前記中空軸と気密連通する吸気孔を有する盤面と、
を含み、前記真空ポンプの作動時に、前記吸気孔が提供する真空吸着力は指輪を前記盤面の載置面上で立たせるのに適し、かつ前記モーターの作動時に、前記盤面は指輪を回転させるのに適する、ターンテーブル。
【請求項２】
少なくとも１つのエアコネクターをさらに含み、前記エアホースは前記エアコネクターを経由して前記中空軸と前記真空ポンプのうちの少なくとも１つに接続する、請求項１に記載のターンテーブル。
【請求項３】
前記盤面は少なくとも1つの切り欠きをさらに有し、前記切り欠きは前記載置面に形成され、前記吸気孔から外向きに延伸し、かつその深さは前記盤面の厚さより小さい又は同厚さと等しい、請求項１に記載のターンテーブル。
【請求項４】
前記切り欠きの数量は複数であり、かつこれらの前記切り欠きは前記吸気孔を中心として取り囲んで対称配列、放射状配列又は非対称配列を成す、請求項３に記載のターンテーブル。
【請求項５】
前記盤面の材質は金属、不透明プラスチック、半透明プラスチック、透明プラスチック又はそれらの組み合わせである、請求項１に記載のターンテーブル。
【請求項６】
前記盤面は第一盤面及び第二盤面を含み、前記吸気孔は前記第一盤面を貫通する第一吸気孔及び前記第二盤面を貫通する第二吸気孔を含む、請求項１に記載のターンテーブル。
【請求項７】
前記第一盤面の上部にはトレイ凹部を有し、かつ前記トレイ凹部の内輪郭と前記第二盤面の外輪郭は合致する、請求項６に記載のターンテーブル。
【請求項８】
前記トレイ凹部の深さは前記第二盤面の厚さよりも大きい、請求項７に記載のターンテーブル。
【請求項９】
前記第一盤面の上部にはトレイ凹部を有し、前記第二盤面の底部には凸部を有し、かつ前記トレイ凹部の内輪郭と前記凸部の外輪郭は合致する、請求項６に記載のターンテーブル。
【請求項１０】
前記第二盤面の周縁は、前記第一盤面の周縁と同じ高さである、又は前記第一盤面の周縁より突出している、請求項９に記載のターンテーブル。
【請求項１１】
前記盤面は、前記第一盤面と前記第二盤面の間又は周囲を密封する封止ユニットをさらに含む、請求項６に記載のターンテーブル。
【請求項１２】
前記第一吸気孔と前記第二吸気孔のうち少なくとも1つの相対する両端は、それらの横断面サイズと横断面形状のうち少なくとも1つが異なる、請求項６に記載のターンテーブル。
【請求項１３】
前記吸気孔は円形孔、楕円形孔、卵形孔、細長形状孔、正方形孔、長方形孔、ひし形孔、多辺形孔、切頂円錐形状孔、切頂半球形状孔又はそれらの組み合わせである、請求項１に記載のターンテーブル。
【請求項１４】
指輪撮影への使用に適したライトボックスであって、
請求項１に記載の前記ターンテーブルと、
上面及び前記上面上に形成された開孔を有するベース部を備える箱体と、
を含み、前記真空ポンプが前記上面下方又は前記箱体外部に設置され、前記モーターが前記上面下方に設置され、かつ前記盤面が前記開孔中に嵌め込まれる、ライトボックス。
【請求項１５】
前記載置面は、前記上面と同じ高さである、又は前記上面よりやや高い、請求項１４に記載のライトボックス。
【請求項１６】
前記箱体は、前記ベース部後方に配置されるバックライトと、前記ベース部前方に設置されるフロントライトと、前記ベース部の一側に設置されるサイドライトと、前記ベース部上方に設置されるトップライトと、前記上面及び前記載置面の下方に設置されるボトムライトのうち少なくとも1つをさらに含み、前記上面及び前記載置面は透明又は半透明である、請求項１４に記載のライトボックス。
【請求項１７】
前記上面は前記バックライトに隣接する第一上面及び前記バックライトから離れた第二上面を含み、前記盤面は前記第一上面と前記第二上面の間に位置し、前記載置面は前記第一上面よりやや高いとともに前記第二上面よりやや低い、請求項１６に記載のライトボックス。
【請求項１８】
スタンドをさらに含み、前記スタンドは前記箱体前方に配置され、カメラを固定保持するのに用いられる、請求項１４に記載のライトボックス。
【発明の詳細な説明】
【技術分野】
【０００１】
本発明は指輪撮影（ｒｉｎｇ  ｐｈｏｔｏｇｒａｐｈｙ）用のターンテーブル及びこのターンテーブルを含むライトボックスに関し、特に、真空ポンプ（ｖａｃｕｕｍ  ｐｕｍｐ）により指輪を吸着して立たせて指輪撮影を行うターンテーブル及びこのターンテーブルを含むライトボックスに関する。
【背景技術】
【０００２】
従来の指輪撮影では通常、リングホルダー、ワックス又は透明粒状粘着剤（ｃｌｅａｒ  ａｄｈｅｓｉｖｅ  ｄｏｔｓ）を利用して指輪を台面又は盤面に安定的に立たせ、平面（２Ｄ）、３６０度又は立体（３Ｄ）撮影を行う。
【０００３】
しかし、リングホルダーを利用して指輪を立たせると、リングホルダーが映り込みやすいだけでなく、通常は指輪の一部領域を遮ってしまうこともある。サイズがより小さいワックスや透明粒状粘着剤を利用して指輪を立たせても、ワックスや透明粒状粘着剤が指輪の底部から露出して画像中に映り込むのは避け難い。しかも、ワックスや透明粒状粘着剤は使用後に指輪上に残りやすく、使用者は撮影完了後に余分な時間を費やしてクリーニングしなければならなくなり、しかもクリーニング時に指輪の表面を傷つけてしまいやすい。しかし、これらの指輪を立たせる補助となる物品を使わなければ、指輪を台面又は盤面上に平置きにして撮影するしかない。したがって、使用者がよりきれいな純色背景（ｐｕｒｅ  ｃｏｌｏｒ  ｂａｃｋｇｒｏｕｎｄ）の前に立たせた指輪を平面的、３６０度又は立体的に撮影するのに便利な、新しい指輪撮影の方法を提案する必要がある。
【発明の概要】
【発明が解決しようとする課題】
【０００４】
上述の問題を解決するため、本発明は、その真空ポンプが吸着力（ｖａｃｕｕｍ  ｓｕｃｔｉｏｎ）を提供して指輪を盤面（ｐｌａｔｔｅｒ）上に安定的に立たせ、そのモーターにより指輪が盤面の回転に伴って動くようにできる、ターンテーブルを提供する。
【０００５】
上述の問題を解決するために、本発明は、そのターンテーブルが真空吸着により指輪を安定的に盤面上で立たせて回転できるだけでなく、その箱体（ｂｏｘ）が指輪の平面撮影、３６０度撮影又は立体撮影をアシストしてきれいな純色背景を提供できる、ライトボックスをさらに提供する。
【課題を解決するための手段】
【０００６】
本発明が提供する指輪撮影への使用に適したターンテーブルは、１つの真空ポンプ、１つのモーター、１つのエアホース及び１つの盤面を含む。モーターは１つの中空軸（ｈｏｌｌｏｗ  ｓｈａｆｔ）を備え、かつエアホースは真空ポンプと中空軸に接続する。さらに、盤面上には中空軸と気密連通（ａｉｒｔｉｇｈｔ  ｃｏｍｍｕｎｉｃａｔｉｏｎ）する１つの吸気孔（ｓｕｃｔｉｏｎ  ｈｏｌｅ）を有する。真空ポンプが作動すると、吸気孔が提供する真空吸着力により指輪を盤面の１つの載置面（ｌｏａｄｉｎｇ  ｓｕｒｆａｃｅ）上で立たせる。
【０００７】
本発明の１つの実施例において、上述のターンテーブルは少なくとも１つのエアコネクターをさらに含み、かつエアホースはエアコネクターを経由して中空軸と真空ポンプのうちの少なくとも１つに接続する。
【０００８】
本発明の１つの実施例において、上述の盤面は少なくとも1つの切り欠き（ｎｏｔｃｈ）をさらに有する。切り欠きは載置面に形成されるとともに、吸気孔から外向きに延伸し、かつその深さは盤面の厚さより小さい又は同厚さと等しい。切り欠きの数量は複数であってもよく、かつこれらの切り欠きは吸気孔を中心として取り囲んで対称配列、放射状配列又は非対称配列を成すことができる。
【０００９】
本発明の１つの実施例において、上述の盤面の材質は金属、不透明プラスチック、半透明プラスチック、透明プラスチック又はそれらの組み合わせであってもよい。
【００１０】
本発明の１つの実施例において、上述の盤面は１つの第一盤面及び１つの第二盤面を含み、吸気孔は第一盤面を貫通する１つの第一吸気孔及び第二盤面を貫通する１つの第二吸気孔を含む。本発明の１つの特定の実施例においては、第一盤面の上部には１つのトレイ凹部（ｔｒａｙ）を有し、かつトレイ凹部の内輪郭と第二盤面の外輪郭は合致する。そして、トレイ凹部の深さは第二盤面の厚さよりも大きい。本発明のその他の実施例においては、第二盤面の底部には１つの凸部（ｐｒｏｔｒｕｓｉｏｎ）をさらに有することもでき、かつトレイ凹部の内輪郭と凸部の外輪郭は合致する。そして、第二盤面の周縁は、第一盤面の周縁と同じ高さである、又は第一盤面の周縁より突出している。本発明のその他の実施例においては、盤面は、１つの封止ユニット（ｓｅａｌｉｎｇ  ｕｎｉｔ）をさらに含み、その封止ユニットは第一盤面と第二盤面の間を密封するＯリングであってもよく、第一盤面と第二盤面の周囲を密封する気密テープ（ａｉｒｔｉｇｈｔ  ｔａｐｅ）であってもよい。また、第一吸気孔と第二吸気孔のうち少なくとも1つの相対する両端は、それらの横断面サイズと横断面形状のうち少なくとも1つが異なる。
【００１１】
本発明の１つの実施例において、上述の吸気孔は円形孔（ｒｏｕｎｄ  ｈｏｌｅ）、楕円形孔（ｅｌｌｉｐｓｅ  ｈｏｌｅ）、卵形孔（ｏｖａｌ  ｈｏｌｅ）、細長形状孔（ｅｌｏｎｇａｔｅｄ  ｈｏｌｅ）、正方形孔（ｓｑｕａｒｅ  ｈｏｌｅ）、長方形孔（ｒｅｃｔａｎｇｌｅ  ｈｏｌｅ）、ひし形孔（ｄｉａｍｏｎｄ  ｈｏｌｅ）、多辺形孔（ｐｏｌｙｇｏｎ  ｈｏｌｅ）、切頂円錐形状孔（ｒｕｎｃａｔｅｄ  ｃｏｎｅ  ｈｏｌｅ）、切頂半球形状孔（ｔｒｕｎｃａｔｅｄ  ｈｅｍｉｓｐｈｅｒｉｃａｌ  ｈｏｌｅ）又はそれらの組み合わせである。
【００１２】
本発明が提供する指輪撮影への使用に適したライトボックスは、上述のターンテーブル及び１つの箱体を含む。箱体は１つの上面及び上面上に形成された１つの開孔（ｏｐｅｎｉｎｇ）を有する１つのベース部を備える。真空ポンプは上面下方又は箱体外部に設置され、モーターは上面下方に設置され、かつ盤面は開孔中に嵌め込まれる。
【００１３】
本発明の１つの実施例において、上述の載置面は上面と同じ高さである、又は上面よりやや高い。
【００１４】
本発明の１つの実施例において、上述の箱体は、ベース部後方に配置される１つのバックライトと、ベース部前方に設置される１つのフロントライトと、ベース部の一側に設置される１つのサイドライトと、ベース部上方に設置される１つのトップライトと、上面及び載置面の下方に設置される１つのボトムライトのうち少なくとも1つをさらに含む。上面及び載置面は透明又は半透明である。
【００１５】
本発明の１つの実施例において、上述の上面はバックライトに隣接する１つの第一上面及びバックライトから離れた１つの第二上面を含む。盤面は第一上面と第二上面の間に位置し、載置面は第一上面よりやや高いとともに第二上面よりやや低い。
【００１６】
本発明の１つの実施例において、上述のライトボックスは１つのスタンドをさらに含み、スタンドは箱体前方に配置され、カメラを固定保持するのに用いられる。
【発明の効果】
【００１７】
上述の内容に基づけば、本発明は、指輪を載置でき、かつ１つの中央吸気孔を有する様々な盤面の組み合わせを提供する。そして、本発明は、中央の吸気孔に対し外向き又は下向きの加工をさらに施し、吸気孔を盤面の中心として取り囲んで対称配列、放射状配列又は非対称配列を成す１つ又は複数の切り欠きを形成することにより、指輪をさらに安定的に立たせられる。異なる使用ニーズに基づき、盤面の材質は金属、不透明プラスチック、半透明プラスチック、透明プラスチック又はそれらの組み合わせからなることも可能である。例えば、盤面は一体成型で、クリアな純色背景を提供するために、載置面は１つの平らな純色表面（ｐｕｒｅ  ｃｏｌｏｒ  ｆｌａｔ  ｓｕｒｆａｃｅ）であってもよい。若しくは、盤面の生産加工を便利にするため、盤面は同一又は異なる材質の組み合わせからなる多層状盤面（ｍｕｌｔｉ−ｌａｙｅｒ  ｐｌａｔｔｅｒ）であってもよい。この場合、指輪が載置面から落ちるのを防止するために、盤面の周縁（ｐｅｒｉｐｈｅｒｙ）を載置面より突出させることにより凸縁タイプ（ｂｏｒｄｅｒ  ｐｌａｔｔｅｒ）の盤面を形成してもよいし、クリアな純色背景を提供するために１つのフラットタイプ盤面でもよい。そして、複数の盤面の間は、例えば相互嵌合方式により組み合わせ、嵌合タイプの盤面（ｍｏｕｎｔｅｄ  ｐｌａｔｔｅｒ）を形成する。
【００１８】
また、本発明が提供するライトボックスは、指輪を盤面上に安定的に立たせて回転できるだけでなく、箱体がフロントライト、サイドライト及びボトムライトのうちの少なくとも１つを備え、指輪の平面撮影、３６０度撮影又は立体撮影をアシストするクリア純色背景を提供できる。しかも、このライトボックスはボトムライト及びバックライトを備えるため、透明盤面を採用した場合、指輪の３６０度撮影又は立体撮影を行う際に、それぞれの角度の画像に対し自動背景除去機能を実行することもできる。
【００１９】
本発明の上述の特徴及び利点をさらに明確で分かりやすくするため、以下に複数の実施例を挙げ、図面を組み合わせて詳細に説明する。
【図面の簡単な説明】
【００２０】
【図１】本発明の１つの実施例における指輪撮影用ターンテーブルの構造を示す図であり、盤面は一体成形のフラットタイプである。
【図２】図１のターンテーブルの局部断面図である。
【図３】本発明の別の１つの実施例における指輪撮影用ターンテーブルの構造を示す図であり、盤面は多層状凸縁タイプである。
【図４】本発明の別の１つの実施例における指輪撮影用ターンテーブルの構造を示す図であり、盤面は多層状凸縁タイプである。
【図５】本発明のさらに別の１つの実施例における指輪撮影用ターンテーブルの構造を示す図であり、盤面は多層状凸縁タイプである。
【図６】本発明のさらに別の１つの実施例における指輪撮影用ターンテーブルの構造を示す図であり、盤面は多層状フラットタイプである。
【図７】本発明のさらにもう１つの実施例における指輪撮影用ターンテーブルの構造を示す図であり、盤面は多層状フラットタイプである。
【図８】本発明の１つの実施例における多種吸気孔の縦断面図である。
【図９】本発明の１つの実施例における多種吸気孔の平面図である。
【図１０】本発明の吸気孔と切り欠きの複数の組み合わせを示す図である。
【図１１】本発明の１つの実施例における指輪撮影用ライトボックスの構造を示す図である。
【図１２】本発明の１つの実施例における指輪撮影用ライトボックスの構造を示す図である。
【図１３】本発明の１つの実施例における指輪撮影用ライトボックスの構造を示す図である。
【発明を実施するための形態】
【００２１】
図１は本発明の１つの実施例における指輪撮影用ターンテーブルの構造を示す図であり、図２は図１中のターンテーブルの局部断面図である。図１及び図２を参照すると、本発明が提供するターンテーブル１００は指輪撮影への使用に適しており、１つの真空ポンプ１１０、１つのモーター１２０、１つのエアホース１３０及び１つの盤面１４０を含む。モーター１２０は１つの中空軸１２２を備え、かつエアホース１３０は真空ポンプ１１０及び中空軸１２２に接続する。この実施例においては、ターンテーブル１００は１つの固定ラック（ｆｉｘｉｎｇ  ｒａｃｋ）１５０をさらに含み、真空ポンプ１１０は２つの支持脚（ｓｕｐｐｏｒｔｉｎｇ  ｌｅｇｓ）１１４により支持されるとともに、固定ラック１５０外部に設置されてもよく、モーター１２０は固定ラック１５０内に取り付けられ、中空軸１２２の上端は固定ラック１５０の上部に貫設される。さらに、この実施例では、ターンテーブル１００は２つのエアコネクター１１２、１２４をさらに含み、エアコネクター１１２は真空ポンプ１１０の一側に接続され、かつエアコネクター１２４はモーター１２０の底部に接続され、エアホース１３０は固定ラック１５０の一側に貫設され、かつその相対する両端はそれぞれエアコネクター１１２、１２４が包接されることにより、真空ポンプ１１０と中空軸１２２が気密連通する。
【００２２】
さらに、盤面１４０は１つの吸気孔１４２を有し、吸気孔１４２は中空軸１２２に気密連通する。この実施例においては、吸気孔１４２は、例えば中空軸１２２の先端に直接包接され、真空ポンプ１１０と吸気孔１４２は気密連通する。このため、真空ポンプ１１０が作動すると、吸気孔１４２が提供する真空吸着力により指輪を盤面１４０の１つの載置面１４４上で立たせることができる。しかも、モーター１２０が作動すると、盤面１４０ａが指輪２０を回転させる。このようにして、指輪２０を載置面１４４上で安定的に立たせるとともに、盤面１４０に伴い回転させることができ、使用者が指輪２０の平面撮影、３６０度撮影又は立体撮影を行えるようになる。本発明の１つの実施例においては、盤面１４０は例えば１つの一体成型タイプの盤面であり、載置面１４４は例えば１つのフラットな純色表面であることで、クリアな純色背景を提供し、使用者が簡単に指輪２０に対して純色背景を有する平面画像、３６０度画像又は立体画像の撮影ができるようになる。
【００２３】
図３から図５は本発明のもう１つの実施例における指輪撮影用ターンテーブルの構造を示す図である。図３から図５を参照すると、この実施例においては、ターンテーブル２００の盤面２４０は多層状凸縁タイプの盤面であり、その他の素子及び接続方式は概ね前述の実施例と同じなので、ここでは再述しない。つまり、この実施例においては、盤面２４０は１つの第一盤面２４０ａ及び１つの第二盤面２４０ｂの組み合わせから成り、吸気孔２４２は第一盤面２４０ａを貫通する１つの第一吸気孔２４２ａ及び第二盤面２４０ｂを貫通する１つの第二吸気孔２４２ｂを含む。第一盤面２４０ａの上部には１つのトレイ凹部２４６ａを有し、第二盤面２４０ｂの上表面はすなわち盤面２４０の載置面２４４であり、かつトレイ凹部２４６ａの内輪郭と第二盤面２４０ｂの外輪郭が合致することにより、第二盤面２４０ｂを２４６ａ中に完全に嵌め込むことができるとともに、第一吸気孔２４２ａが第二吸気孔２４２ｂに気密連通できる。また、この実施例においては、トレイ凹部２４６ａの深さが第二盤面２４０ｂの厚さよりも大きいので、第一盤面２４０ａの周縁が載置面２４２より突出し、盤面２４０は凸縁タイプの盤面を構成し、指輪２０（図１及びず２中に示す）が載置面２４４から落ちるのを防止できる。
【００２４】
本発明の１つの好ましい実施例において、第一盤面２４０ａは金属材料で製作され、第二盤面２４０ｂは不透明のプラスチック材料で製作されることにより、盤面２４０は複合材料により構成される多層状盤面を形成することができる。多層状盤面の利点は、層別製作及び加工の方式により材料の選択性を高めることができるだけでなく、盤面製造加工プロセス全体の複雑度を低くすることができる。しかし、その他の実施例においては、第一盤面２４０ａと第二盤面２４０ｂはその他同じ又は異なる材料により製作することもできる。例えば、第一盤面２４０ａと第二盤面２４０ｂはそれぞれ金属、不透明プラスチック、半透明プラスチック、透明プラスチック等の材料により製作できる。
【００２５】
他にも、盤面２４０は第一盤面２４０ａと第二盤面２４０ｂの間の１つの封止ユニット（未表示）をさらに含み、第一吸気孔２４２ａと第二吸気孔２４２ｂの間の気密性（ａｉｒｔｉｇｈｔｎｅｓｓ）を保持するのに用いることができる。例えば、封止ユニットはトレイ凹部２４６ａの内壁と第二盤面２４０ｂの間、又はトレイ凹部２４６ａ底部と第二盤面２４０ｂ底面の間を密封するＯリングであってもよい。
【００２６】
図６から図７は本発明のさらにもう１つの実施例における指輪撮影用ターンテーブルの構造を示す図である。図６から図７を参照すると、この実施例においては、第二盤面３４０ｂ以外に、ターンテーブル３００のその他素子及び接続方式は概ね前述の実施例と同じであるため、ここでは最述しない。つまり、前述の実施例においては、第二盤面２４０ｂの上部と底部はいずれもフラットな表面であるが、本実施例においては、第二盤面３４０ｂの底部には１つの凸部３４６ｂをさらに有し、第一盤面３４０ａ上のトレイ凹部３４６ａの内輪郭と凸部３４６ｂの外輪郭が合致することにより、凸部３４６ｂは３４６ａ中に完全に嵌め込まれるとともに、第一吸気孔３４２ａは第二吸気孔３４２ｂに気密連通する。しかも、第二盤面３４０ｂの周縁は、第一盤面３４０ａの周縁と同じ高さである、又は第一盤面３４０ａの周縁より突出することにより、第一盤面３４０ａの上部は完全に覆われ、盤面３４０は図１で示した実施例と同じフラットタイプ盤面を構成することができる。
【００２７】
同様に、この実施例においては、盤面３４０も前述の実施例と同じ封止ユニットを利用して第一吸気孔３４２ａと第二吸気孔３４２ｂの間の気密性を保持することができる。また、図７が示すように、第二盤面３４０ｂの周縁が第一盤面３４０ａの周縁と完全に又は殆ど同じ高さである場合、盤面３４０の周縁は気密テープを封止ユニットとして用いて第二盤面３４０ａと第二盤面３４０ｂの間の隙間を覆うことができる。若しくは、その他未表示の実施例おいて、第二盤面の周縁が第一盤面の周縁より突出することにより、サイズがより大きい１つのフラットタイプ盤面を形成することもできる。
【００２８】
図８は本発明の１つの実施例における多種吸気孔の縦断面図であり、図９は本発明の１つの実施例における多種吸気孔の平面図である。つまり、市場における様々な指輪のタイプに対応するため、吸気孔は様々な異なる形状を有することにより、指輪にとって最適な吸着効果を提供することができる。例えば、図８−１が示すように、この実施例における盤面は一体成型タイプの盤面で、その吸気孔は直孔（ｓｔｒａｉｇｈｔ  ｈｏｌｅ）であり、吸気孔の横断面の形状は図９が示すように円形、楕円形、卵形、細長形状、正方形、長方形、ひし形、台形又はその他多辺形孔であってもよい。若しくは図８−２から図８−４の実施例が示すように、吸気孔は２種類以上の異なる横断面サイズ及び／又は形状の吸気孔の組み合わせから成り、吸気孔の上端開口と下端開口は異なる横断面サイズ及び／又は形状を有することもできる。
【００２９】
さらに詳しく説明すると、図８−２が示すように、この実施例における吸気孔は、例えば２種類の異なるサイズのドリルヘッドにより２回穿孔した後、２段の異なる孔径の同軸円形孔を形成する。他には、図８−３が示す実施例のように、吸気孔は１つの切頂円錐形状孔と１つの円形孔を同軸配列で組み合わせて成るものでもよい。また、図８−４が示す実施例のように、吸気孔は１つの円形孔と１つの切頂半球形状孔を同軸配列で組み合わせて成るものであってもよい。注目すべきは、図８−２から図８−４までが示すこれらの実施例は、単一盤面上で加工されたものであるが、その他未表示の実施例においては、これらの盤面は２層以上の盤面の組み合わせから成り、これらの盤面はそれぞれ異なるサイズ及び／又は形状の吸気孔を有することができるという点である。例えば、図８−２の実施例では、１つの大きな円形孔を有する盤面と１つの小さな円形孔を有する盤面の組み合わせから成る。さらに、指輪の形状と輪郭に合せて特別な加工方式により吸気孔の載置面上における形状を変え、吸気孔の指輪に対する真空吸着力を高めることができる。
【００３０】
図１０は本発明の吸気孔と切り欠きの複数の組み合わせを示す図である。さらに詳細を説明すると、図１０−１が示すように、本発明の１つの好ましい実施例において、吸気孔１４２は円形状であり、切り欠き１４６は載置面１４４上を吸気孔１４２の周囲から外向きかつ下向きにカッターで加工してなる１つの単一三角錐状の切り欠きを成し、その深さは盤面１４０の厚さより小さい。しかし、その他の類似する実施例においては、切り欠きの深さは盤面の厚さと等しく、切り欠きが盤面を貫通してもよい。若しくは、その他の実施例において、盤面上に複数の切り欠きを形成し、かつこれらの切り欠きは吸気孔の中央を取り囲んで放射状配列又は非対称配列を成すこともできる。
【００３１】
例えば、図１０−２が示すのは、吸気孔１４２の周囲に対称配列を形成する２つの三角錐状の切り欠き１４６を２つ有する例である。さらに、図１０−３の例では、載置面に近い方の吸気孔１４２の一端に１つの細長形状孔を形成し、細長形状孔の幅は例えば吸気孔の直径より小さい。これ以外にも、図１０−４の例では、複数の形状のサイズがいずれも異なる切り欠き１４６が吸気孔１４２の周囲で非対称配列を成す。これらの切り欠きにより吸気孔と指輪表面がさらに近づき、吸気孔の指輪に対する真空吸着力を高める助けとなる。
【００３２】
図１１から図１３は本発明の１つの実施例における指輪撮影用ライトボックスの構造を示す図である。図１１及び図１２を参照すると、本発明がさらに提供する指輪撮影用のライトボックス１０は前述の実施例で述べられているターンテーブル３００（図６に表示）、１つのベース部４１０及び１つのバックライト４２０を含み、ターンテーブル３００の詳細な構造はここでは最述しない。注目すべきは、その他実施例においても、ターンテーブル３００の代わりに図１から図５で示されるターンテーブル１００、２００を用いることができる点である。
【００３３】
この実施例において、ライトボックス１０は例えば１つの箱体４００を備える閉鎖型ライトボックスであり、ベース部４１０及びバックライト４２０はいずれも箱体４００内部に設置される。ベース部４１０は１つの上面４１２及び上面４１２上に形成された１つの開孔４１４を有し、バックライト４２０はベース部４１０の後方に配置される。さらに、真空ポンプ３１０（図６に表示）は例えば箱体４００外部に設置され、モーター３２０（図６に表示）は上面４１２下方に設置され、盤面３４０は開孔４１４中に嵌め込まれる。しかも、盤面３４０の載置面３４４は例えば、上面４１２と同じ高さである、又は上面４１２よりやや高いことにより、載置面３４４と上面４１２が共同でより１つの大きな背景を構成し、この背景を撮影に使用できる。このようにすると、バックライト４２０を適切に制御できれば、ソフトウェアの補助によって指輪２０を撮影する際に、画像に対し背景自動除去を行える可能性がある。
【００３４】
また、適切な高度差を維持することにより、画像に映り込んだ載置面と上面の間の境界線（ｂｏｒｄｅｒ）をぼかし、さらに画像における背景全体の色をより統一することができる。したがって、その他未表示の実施例において、上面はバックライトに隣接する１つの第一上面及びバックライトから離れている１つの第二上面により構成することもできる。第一上面と第二上面の間に位置する載置面は、第一上面よりやや高いとともに、第二上面よりやや低くてもよい。
【００３５】
さらに、この実施例におけるライトボックス１０は２つのフロントライト４３０ａ、４３０ｂ、２つのサイドライト４４０ａ、４４０ｂ、１つのトップライト及び１つのボトムライト（未表示）をさらに含む。フロントライト４３０ａ、４３０ｂはベース部４１０の前方に設置され、それぞれ左前方の光源及び右前方の光源として使用される。サイドライト４４０ａ、４４０ｂはベース部４１０の左右両側にそれぞれ設置され、左側の光源及び右側の光源としてそれぞれ使用される。トップライト４５０はベース部４１０上方に設置されて上方の光源として使用され、ボトムライトはベース部４１０下方に設置され、上面４１２を透明又は半透明にすることで、ボトムライトの光線が上面４１２を透過する。
【００３６】
注目すべきは、以上の実施例は光線環境が比較的安定している閉鎖型箱体を例に挙げて説明しているという点であるが、その他未表示の実施例においては、ライトボックスは開放型ライトボックスであってもよい。
【００３７】
図１３を参照すると、本発明の１つの実施例において、上述のライトボックス１０は１つのスタンド５００をさらに含む。スタンド５００は１つのステージ５１０、１つの垂直アーム（ｖｅｒｔｉｃａｌ  ａｒｍ）５２０、１つのスライドブロック５３０及び１つのカメラ雲台（ｔｒｉｐｏｄ  ｈｅａｄ）５４０を備えることができる。ステージ５１０はガイドレール５１２を有し、垂直アーム５２０の一端はガイドレール５１２上でスライドするよう設置される。さらに、スライドブロック５３０はスライドするよう垂直アーム５２０に設置されるとともに、１つのプラットフォーム５３２及びプラットフォーム５３２に形成される１つのガイド溝（ｇｕｉｄｉｎｇ  ｇｒｏｏｖｅ）５３４を有する。これ以外にも、カメラ雲台５４０はガイド溝５３４によりプラットフォーム５３２上に設置され、カメラ雲台５４０上に固定設置されるカメラ３０をガイド溝５３４に沿ってプラットフォーム５３２に相対して滑動させる。したがって、使用者はガイドレール５１２を利用してカメラ３０の撮影距離を迅速に調整できるだけでなく、スライドブロック５３０及びガイド溝５３４を利用してカメラ３０の高さ及び水平位置を迅速に調整でき、さらにカメラ雲台５４０を利用して水平にパン（ｐａｎ）したり、上下にティルト（ｔｉｌｔ）したり、人物／風景撮影モードの間でカメラを回転（ｒｏｔａｔｅ  ｂｅｔｗｅｅｎ  ｐｏｒｔｒａｉｔ  ／  ｌａｎｄｓｃａｐｅ  ｍｏｄｅ）させたりすることができる。
【００３８】
上述の内容をまとめると、本発明が提供するターンテーブルは、真空吸着力を利用して指輪を安定的に盤面上で立たせて回転できるだけでなく、これにより使用者がどんな角度からでも指輪撮影を行える助けとなる。使用者は従来の露出しやすいリングホルダーや、指輪に残りやすいワックス又は無酸接着剤を使用しなくても指輪を立たせることができる。さらに、本発明が提案する多層状盤面設計は、様々な形状の吸気孔及び切り欠きを組み合わせることにより、様々な異なるタイプの指輪をうまく立たせることができ、また、中空軸を備えるモーターを利用して指輪を回転させることにより、指輪の平面撮影、３６０度撮影又は立体撮影をアシストできる。他にも、本発明が提案するライトボックスは、クリアな純色背景を提供して指輪の撮影をアシストし、ソフトウェアにより撮影を補助して自動背景除去を行うこともできる。
【００３９】
本発明は上述のとおり実施例を開示したが、これは本発明を限定するものではなく、当該技術領域において通常の知識を有する者であれば誰でも、本発明の精神と領域を脱しない範囲内で各種の変更や潤色を加えることができる。したがって本発明の保護範囲は、特許請求の範囲で指定した内容を基準とする。
【符号の説明】
【００４０】
１０  ライトボックス  
２０  指輪
３０  カメラ
１００、２００、３００  ターンテーブル
１１０、３１０  真空ポンプ
１１２、１２４  エアコネクター
１１４  支持脚
１２０、３２０  モーター
１２２  中空軸
１３０  エアホース
１４０、２４０、２４０ａ、２４０ｂ、３４０、３４０ａ、３４０ｂ  盤面
１４２、２４２ａ、２４２ｂ、３４２ａ、３４２ｂ  吸気孔
１４４、２４４、３４４  載置面
１４６  切り欠き
１５０  固定ラック
２４６ａ、３４６ａ  トレイ凹部
３４６ｂ  凸部
４００  箱体
４１０  ベース部
４１２  上面
４１４  開孔  
４２０  バックライト
４３０ａ、４３０ｂ  フロントライト
４４０ａ、４４０ｂ  サイドライト
４５０  トップライト
５００  スタンド
５１０  ステージ
５１２  ガイドレール
５２０  垂直アーム
５３０  スライドブロック
５３２  プラットフォーム
５３４  ガイド溝
５４０  カメラ雲台
【図１】
2020177043.tif 000003
【図２】
2020177043.tif 000004
【図３】
2020177043.tif 000005
【図４】
2020177043.tif 000006
【図５】
2020177043.tif 000007
【図６】
2020177043.tif 000008
【図７】
2020177043.tif 000009
【図８】
2020177043.tif 000010
【図９】
2020177043.tif 000011
【図１０】
2020177043.tif 000012
【図１１】
2020177043.tif 000013
【図１２】
2020177043.tif 000014
【図１３】
2020177043.tif 000015
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
指輪撮影への使用に適したターンテーブルであって、
真空ポンプと、
中空軸を備えるモーターと、
前記真空ポンプ及び前記中空軸に接続するエアホースと、
前記中空軸と気密連通する吸気孔を有する盤面と、
を含み、前記真空ポンプの作動時に、前記吸気孔が提供する真空吸着力は指輪を前記盤面の載置面上で立たせるのに適し、かつ前記モーターの作動時に、前記盤面は指輪を回転させるのに適し、
前記盤面は少なくとも1つの切り欠きをさらに有し、前記切り欠きは前記載置面に形成され、前記吸気孔から外向きに延伸し、かつその深さは前記盤面の厚さより小さい又は同厚さと等しい、ターンテーブル。
【請求項２】
指輪撮影への使用に適したターンテーブルであって、
真空ポンプと、
中空軸を備えるモーターと、
前記真空ポンプ及び前記中空軸に接続するエアホースと、
前記中空軸と気密連通する吸気孔を有する盤面と、
を含み、前記真空ポンプの作動時に、前記吸気孔が提供する真空吸着力は指輪を前記盤面の載置面上で立たせるのに適し、かつ前記モーターの作動時に、前記盤面は指輪を回転させるのに適し、
前記盤面は第一盤面及び第二盤面を含み、前記吸気孔は前記第一盤面を貫通する第一吸気孔及び前記第二盤面を貫通する第二吸気孔を含む、ターンテーブル。
【請求項３】
少なくとも１つのエアコネクターをさらに含み、前記エアホースは前記エアコネクターを経由して前記中空軸と前記真空ポンプのうちの少なくとも１つに接続する、請求項１に記載のターンテーブル。
【請求項４】
前記切り欠きの数量は複数であり、かつこれらの前記切り欠きは前記吸気孔を中心として取り囲んで対称配列、放射状配列又は非対称配列を成す、請求項１に記載のターンテーブル。
【請求項５】
前記盤面の材質は金属、不透明プラスチック、半透明プラスチック、透明プラスチック又はそれらの組み合わせである、請求項１に記載のターンテーブル。
【請求項６】
前記第一盤面の上部にはトレイ凹部を有し、かつ前記トレイ凹部の内輪郭と前記第二盤面の外輪郭は合致する、請求項２に記載のターンテーブル。
【請求項７】
前記トレイ凹部の深さは前記第二盤面の厚さよりも大きい、請求項６に記載のターンテーブル。
【請求項８】
前記第一盤面の上部にはトレイ凹部を有し、前記第二盤面の底部には凸部を有し、かつ前記トレイ凹部の内輪郭と前記凸部の外輪郭は合致する、請求項２に記載のターンテーブル。
【請求項９】
前記第二盤面の周縁は、前記第一盤面の周縁と同じ高さである、又は前記第一盤面の周縁より突出している、請求項８に記載のターンテーブル。
【請求項１０】
前記盤面は、前記第一盤面と前記第二盤面の間又は周囲を密封する封止ユニットをさらに含む、請求項２に記載のターンテーブル。
【請求項１１】
前記第一吸気孔と前記第二吸気孔のうち少なくとも1つの相対する両端は、それらの横断面サイズと横断面形状のうち少なくとも1つが異なる、請求項２に記載のターンテーブル。
【請求項１２】
前記吸気孔は円形孔、楕円形孔、卵形孔、細長形状孔、正方形孔、長方形孔、ひし形孔、多辺形孔、切頂円錐形状孔、切頂半球形状孔又はそれらの組み合わせである、請求項１に記載のターンテーブル。
【請求項１３】
指輪撮影への使用に適したライトボックスであって、
請求項１又は２に記載の前記ターンテーブルと、
上面及び前記上面上に形成された開孔を有するベース部を備える箱体と、
を含み、前記真空ポンプが前記上面下方又は前記箱体外部に設置され、前記モーターが前記上面下方に設置され、かつ前記盤面が前記開孔中に嵌め込まれる、ライトボックス。
【請求項１４】
前記載置面は、前記上面と同じ高さである、又は前記上面よりやや高い、請求項１３に記載のライトボックス。
【請求項１５】
前記箱体は、前記ベース部後方に配置されるバックライトと、前記ベース部前方に設置されるフロントライトと、前記ベース部の一側に設置されるサイドライトと、前記ベース部上方に設置されるトップライトと、前記上面及び前記載置面の下方に設置されるボトムライトのうち少なくとも1つをさらに含み、前記上面及び前記載置面は透明又は半透明である、請求項１３に記載のライトボックス。
【請求項１６】
前記上面は前記バックライトに隣接する第一上面及び前記バックライトから離れた第二上面を含み、前記盤面は前記第一上面と前記第二上面の間に位置し、前記載置面は前記第一上面よりやや高いとともに前記第二上面よりやや低い、請求項１５に記載のライトボックス。
【請求項１７】
スタンドをさらに含み、前記スタンドは前記箱体前方に配置され、カメラを固定保持するのに用いられる、請求項１３に記載のライトボックス。